(57)【要約】【課題】画像処理装置を携帯端末装置から音声入力により操作する場合、機密情報を音声として発することによる機密情報の漏洩を防止できる画像処理システム等を提供する。【解決手段】携帯端末装置２からユーザーが音声入力による操作指示を行うと、対応する操作に関連する設定値が機密情報として設定されているかどうかが判断される。設定されていると判断された場合、携帯端末装置２または画像処理装置１のうちの一方が、他方から取得した前記設定値と自装置が保有する前記設定値とを纏めるとともに、各設定値を別の識別情報に置換し、この置換された識別情報を置換前の設定値と対応させて携帯端末装置１の表示手段４２に表示する。ユーザーが、置換された識別情報を携帯端末装置２から音声入力すると、識別情報に対応する設定値が特定され、この特定された設定値を用いて、音声入力された操作指示に対応する操作が実行される。【選択図】  図６
2015080120.tif 000002
【特許請求の範囲】
【請求項１】
画像処理装置と該画像処理装置を音声入力により遠隔操作可能な携帯端末装置とを備えた画像処理システムであって、
前記携帯端末装置に設けられた音声入力手段と、
前記画像処理装置に設けられ、前記携帯端末装置の音声入力手段からユーザーにより音声入力された操作指示を受信する受信手段と、
前記携帯端末装置または前記画像処理装置の少なくともいずれかに設けられ、前記操作指示に対応する操作に関連する設定値が機密情報として設定されているかどうかを判断する判断手段と、
前記携帯端末装置または前記画像処理装置の少なくともいずれかに設けられ、前記設定値が機密情報として設定されていると判断された場合、前記携帯端末装置または前記画像処理装置のうちの一方が、他方から取得した前記設定値と自装置が保有する前記設定値とを纏めるとともに、各設定値を別の識別情報に置換する置換手段と、
前記携帯端末装置に設けられ、前記置換された識別情報を置換前の設定値と対応させて表示する表示手段と、
前記携帯端末装置または前記画像処理装置の少なくともいずれかに設けられ、前記携帯端末装置の音声入力手段により音声入力された前記識別情報から該識別情報に対応する設定値を特定する特定手段と、
前記画像処理装置に設けられ、前記特定された設定値を用いて、前記音声入力された前記操作指示に対応する操作を実行する実行手段と、
を備えたことを特徴とする画像処理システム。
【請求項２】
前記携帯端末装置または前記画像処理装置の少なくとも一方は、ユーザー操作に基づいて、前記設定値を機密情報として解除可能に設定する設定手段を備えている請求項１に記載の画像処理システム。
【請求項３】
前記識別情報は、ユーザーにより操作情報が音声入力される毎に、または一定時間毎に変更される請求項１または２に記載の画像処理システム。
【請求項４】
請求項１〜３のいずれかに記載の画像処理システムに用いられる画像処理装置。
【請求項５】
請求項１〜３のいずれかに記載の画像処理システムに用いられる携帯端末装置。
【発明の詳細な説明】
【技術分野】
【０００１】
この発明は、多機能デジタル複合機であるＭＦＰ（Multi Function Peripherals）等の画像処理装置と、該画像処理装置を音声入力により遠隔操作可能なスマートフォン、タブレット端末等の携帯端末装置とを備えた画像処理システム、画像処理装置及び携帯端末装置に関する。
【背景技術】
【０００２】
スマートフォン、タブレット端末等の携帯端末装置から無線接続された前記ＭＦＰ等の画像処理装置を遠隔操作する技術は既に公知である。
【０００３】
そして、最近では、携帯端末装置にユーザーがタッチパネル等を操作することなく音声入力による操作指示を行うことで、画像処理装置を操作する技術が考えられている。
【０００４】
しかし、音声入力を行うと音声の内容が周囲に聞こえてしまい、音声の内容が機密情報に関わるものであった場合には、この機密情報が漏れてしまう恐れがあった。
【０００５】
なお、特許文献１には、音声入力を行う際に、機密情報が周囲に漏れないようにするため、音声入力データを変換するシステムが提案されている。
【先行技術文献】
【特許文献】
【０００６】
【特許文献１】特開２００６−１７８２０３号公報
【発明の概要】
【発明が解決しようとする課題】
【０００７】
ところが、前記特許文献１に記載の技術は、携帯端末装置から無線接続された前記ＭＦＰ等の画像処理装置を遠隔操作する技術ではないため、携帯端末装置側の機密情報についての漏洩を防止することはできなかった。
【０００８】
この発明は、このような実情に鑑みてなされたものであり、画像処理装置を携帯端末装置から音声入力により遠隔操作する場合に、機密情報を音声として発することによる機密情報の漏洩を防止できる画像処理システム、画像処理装置及び携帯端末装置を提供することを課題とする。
【課題を解決するための手段】
【０００９】
上記課題は、以下の手段によって解決される。
（１）画像処理装置と該画像処理装置を音声入力により遠隔操作可能な携帯端末装置とを備えた画像処理システムであって、前記携帯端末装置に設けられた音声入力手段と、前記画像処理装置に設けられ、前記携帯端末装置の音声入力手段からユーザーにより音声入力された操作指示を受信する受信手段と、前記携帯端末装置または前記画像処理装置の少なくともいずれかに設けられ、前記操作指示に対応する操作に関連する設定値が機密情報として設定されているかどうかを判断する判断手段と、前記携帯端末装置または前記画像処理装置の少なくともいずれかに設けられ、前記設定値が機密情報として設定されていると判断された場合、前記携帯端末装置または前記画像処理装置のうちの一方が、他方から取得した前記設定値と自装置が保有する前記設定値とを纏めるとともに、各設定値を別の識別情報に置換する置換手段と、前記携帯端末装置に設けられ、前記置換された識別情報を置換前の設定値と対応させて表示する表示手段と、前記携帯端末装置または前記画像処理装置の少なくともいずれかに設けられ、前記携帯端末装置の音声入力手段により音声入力された前記識別情報から該識別情報に対応する設定値を特定する特定手段と、前記画像処理装置に設けられ、前記特定された設定値を用いて、前記音声入力された前記操作指示に対応する操作を実行する実行手段と、を備えたことを特徴とする画像処理システム。
（２）前記携帯端末装置または前記画像処理装置の少なくとも一方は、ユーザー操作に基づいて、前記設定値を機密情報として解除可能に設定する設定手段を備えている前項１に記載の画像処理システム。
（３）前記識別情報は、ユーザーにより操作情報が音声入力される毎に、または一定時間毎に変更される前項１または２に記載の画像処理システム。
（４）前項１〜３のいずれかに記載の画像処理システムに用いられる画像処理装置。
（５）前項１〜３のいずれかに記載の画像処理システムに用いられる携帯端末装置。
【発明の効果】
【００１０】
前項（１）に記載の発明によれば、携帯端末装置からユーザーが音声入力による操作指示を行うと、対応する操作に関連する設定値が機密情報として設定されているかどうかが判断される。機密情報として設定されていると判断された場合、携帯端末装置または画像処理装置のうちの一方が、他方から取得した前記設定値と自装置が保有する前記設定値とを纏めるとともに、各設定値を別の識別情報に置換し、この置換された識別情報を置換前の設定値と対応させて携帯端末装置の表示手段に表示する。
【００１１】
ユーザーが、置換された識別情報を携帯端末装置から音声入力すると、識別情報に対応する設定値が特定され、この特定された設定値を用いて、音声入力された操作指示に対応する操作が実行される。
【００１２】
このように、設定値が機密情報である場合は、携帯端末装置または画像処理装置のうちの一方が、他方から取得した設定値と自装置が保有する設定値とを纏めるとともに、各設定値を別の識別情報に置換するから、ユーザーはこの置換された識別情報を音声入力すれば良いから、音声が周囲に漏れたとして、機密情報そのものは漏れることはなく、機密漏洩を防止してセキュリティに優れたシステムとすることができる。
【００１３】
前項（２）に記載の発明によれば、ユーザーは設定値を機密情報として扱うかどうかを設定することができる。
【００１４】
前項（３）に記載の発明によれば、機密情報である設定値と置換される識別情報は、ユーザーにより操作情報が音声入力される毎に、または一定時間毎に変更されるから、機密漏洩の防止をより確実に行うことができる。
【００１５】
前項（４）に記載の発明によれば、ユーザーが携帯端末装置から音声入力により画像処理装置を遠隔操作する場合に、機密漏洩を防止してセキュリティに優れた画像処理装置となしうる。
【００１６】
前項（５）に記載の発明によれば、ユーザーが携帯端末装置から音声入力により画像処理装置を遠隔操作する場合に、機密漏洩を防止してセキュリティに優れた携帯端末装置となしうる。
【図面の簡単な説明】
【００１７】
【図１】この発明の一実施形態に係る画像処理システムの構成図である。
【図２】画像処理装置及び携帯端末装置の主要部の構成を示すブロック図である。
【図３】携帯端末装置の音声入力待ち受けトップ画面である。
【図４】画像処理装置の音声入力待ち受けトップ画面である。
【図５】機密情報の設定を行うために画像処理装置に表示された機密情報設定画面である。
【図６】メール送信宛先置換テーブルの一例を示す表である。
【図７】ユーザーが携帯端末装置から「メール」と音声入力したときに、画像処理装置に表示されるメール宛先一覧の画面である
【図８】メール送信宛先の置換テーブルを画像処理装置から受信した後に携帯端末装置に表示される画面である。
【図９】ファイル名置換テーブルの一例を示す表である。
【図１０】ユーザーが携帯端末装置から「ファイル」と音声入力したときに、画像処理装置に表示されるファイル名一覧の画面である
【図１１】ファイル名置換テーブルを画像処理装置から受信した後に携帯端末装置に表示される画面である。
【図１２】携帯端末装置の動作を示すフローチャートである。
【図１３】図１２のステップＳ１３の音声入力に応じたタスク実行処理のサブルーチンを示すフローチャートである。
【図１４】画像処理装置の動作を示すフローチャートである。
【図１５】図１４のステップＳ２９の音声入力に応じたタスク実行処理のサブルーチンを示すフローチャートである。
【発明を実施するための形態】
【００１８】
以下、この発明の実施形態を図面に基づいて説明する。
【００１９】
図１は、この発明の一実施形態に係る画像処理システムの構成図である。このシステムは画像処理装置１と携帯端末装置２とを有し、これらが無線通信により接続可能となっている。
【００２０】
画像処理装置１は図１（Ａ）に示すように無線アクセスポイント３に接続し、携帯端末装置２と無線アクセスポイント３を経由で通信しても良いし、図１（Ｂ）に示すように画像処理装置に無線ＬＡＮ（Local Area Network）機能が搭載されている場合は、直接に携帯端末装置２に接続し、通信しても良い。
【００２１】
この実施形態では、画像処理装置１としてコピー機能、プリント機能、スキャン機能、ファクシミリ機能等を備えた前述のＭＦＰが用いられている。以下、画像処理装置をＭＦＰとも記す。また、携帯端末装置を携帯端末とも記す。携帯端末２には、スマートフォン、タブレット端末、電子ペーパー等が用いられる。
【００２２】
図２は、前記ＭＦＰ１と携帯端末２の主要部の構成を示すブロック図である。
【００２３】
ＭＦＰ１及び携帯端末２は、それぞれシステム制御部４１、表示出力部４２、ネットワーク制御部４３、音声入力部４４、音声認識部４５、機密情報設定部４６、置換テーブル生成部４７、置換データ比較部４８、タスク実行部４９等を備えている。
【００２４】
なお、ＭＦＰ１及び携帯端末２の各構成部材を区別して説明する必要があるときは、各構成部材の番号の後ろにＭ（ＭＦＰの構成部材）またはＫ（携帯端末の構成部材）を付す。例えば、ＭＦＰ１の表示出力部は４２Ｍ、携帯端末２の表示出力部は４２Ｋで示す。
【００２５】
システム制御部４１は、自装置であるＭＦＰ１あるいは携帯端末２の全体を制御するものであり、図示しないＣＰＵと、ＣＰＵの動作プログラム等が格納されたＲＯＭと、ＣＰＵが動作プログラムに従って動作する際の作業領域を提供するためのＲＡＭ等を備えている。ＭＦＰ１及び携帯端末２には、それぞれ基本ＯＳの他、携帯端末２からＭＦＰ１を音声操作するためのアプリケーションがインストールされている。
【００２６】
表示出力部４２は画面やメッセージ、装置の状態等を表示するものであり、タッチパネル付きの液晶表示装置等で構成されている。
【００２７】
ネットワーク制御部４３は、ネットワークとの通信状態を制御するものである。また、音声入力部４４はユーザーの音声を入力するものであり、マイクロフォン等から構成されており、音声認識部４５は音声入力部で入力された音声データを認識するものである。
【００２８】
機密情報設定部４６は、保持している情報を機密として扱うかどうかをユーザーが設定するためのものである。機密として扱うことを設定した場合、その解除も可能である。
【００２９】
置換テーブル生成部４７は、機密として扱うことが設定された情報を設定値として設定する操作が指示されたときに、各設定値を別の識別情報に置換した置換テーブルを生成する。この際、置換テーブル生成部４７は、相手装置から取得した設定値と自装置内の設定値を組み合わせて纏めるとともに、各設定値をそれぞれ別の識別情報に置換する。
【００３０】
置換データ比較部４８は、ユーザーが音声により識別情報を入力したときに、前記置換テーブル生成部４７により生成された置換テーブルと識別情報とを比較して、識別情報に対応する設定値を特定する。
【００３１】
タスク実行部４９は、前記特定された設定値を用いて、音声入力された操作指示に対する操作を実行する。
【００３２】
また、図示は省略したが、ＭＦＰ１及び携帯端末２はそれぞれハードディスク装置等から構成される記憶部を備え、例えば複数のメール送信宛先やファイル名が付されたファイル等を記憶している。
【００３３】
次に、画像処理システムの動作を説明する。
【００３４】
図３は、携帯端末２の音声入力待ち受けトップ画面である。ユーザーが使用したいＭＦＰ１を携帯端末２で指定し、音声入力モードを起動すると、携帯端末２は自装置を音声入力モードにセットすると共に、自身の識別番号を含めた音声入力モード起動メッセージをＭＦＰ１に送信する。識別番号は、単純な整数でも良く、ＭＡＣアドレスの様な文字列でも良い。
【００３５】
図４は、ＭＦＰ１の音声入力待ち受けトップ画面である。ＭＦＰ１は携帯端末２から音声入力モード起動メッセージを受信すると、音声入カモードを起動し、自身の識別番号を含めたレスポンスメッセージを携帯端末２に送信する。識別番号は、単純な整数でも良く、ＭＡＣアドレスの様な文字列でも良い。
【００３６】
図５は、機密情報の設定を行うためにＭＦＰ１の表示出力部に表示された機密情報設定画面である。ユーザーは、どの設定値を機密情報として扱うかを選択できる。また、機密情報として扱わないよう無効に設定することも出来る。
【００３７】
この実施形態では、設定内容を有効にするための有効ボタンと、無効にするための無効ボタンと、設定可能な設定値の種類としてメールの送信宛先ボタン、ＦＴＰ送信宛先ボタン、ＳＭＢ送信宛先ボタン、ファイル名ボタン、キャンセルボタン及びＯＫボタン等が表示されている。ハッチングで示されたボタン及び設定値は、選択されていることを示しており、有効ボタン、メールの送信宛先ボタン、ファイル名ボタンが選択されている。ＯＫボタンを押すと選択が確定し、キャンセルボタンを押すと選択がキャンセルされる。
【００３８】
なお、機密情報として扱うか否かやどの設定値を機密情報として扱うかの設定は、携帯端末２から行っても良い。
【００３９】
ユーザーが、携帯端末２から音声入力により操作指示を行うと、音声認識部がこれを認識し、音声データをＭＦＰ１に送信する。
【００４０】
ＭＦＰ１は指示された操作が機密情報の設定がなされた設定値の設定操作かどうかを判断する。機密情報の設定がなされた設定値の設定操作と判断した場合、携帯端末２が保有している設定値を携帯端末２から取得すると共に、取得した設定値と自装置が保有している機密情報としての設定値を組み合わせて纏め、各設定値を別の識別情報に置換して置換テーブルを生成する。
【００４１】
例えば、ユーザーが携帯端末２で「メール」と音声入力すると、ＭＦＰ１と携帯端末２はそれぞれユーザーの音声を認識する。携帯端末２は機密情報として設定されている設定値としての自身のメール宛先情報を、ＭＦＰ１からの要求に基づいてＭＦＰ１に送信する。ＭＦＰ１は機密情報として設定されている設定値としての自身のメール宛先情報と、携帯端末２から受信したメール宛先情報を纏め、各メール宛先情報を別の識別情報に置換すると共に、いずれの装置が保持している宛先情報かを表す情報を加えて、１つのメール宛先置換テーブルを生成し、携帯端末２に生成した宛先置換テーブルを送信する。
【００４２】
図６はメール宛先置換テーブルの一例を示す表である。
【００４３】
例えば、メール送信宛先が「Ａｂｅ」は「Ａｔｅｓａｋｉ１」という識別情報に置換され、ＭＦＰ１に保有されている設定値であることが示されている。また、メール送信宛先が「Ａｎｄｏｕ」は「Ｒｅｃｅｉｖｅｒ１」という識別情報に置換され、携帯端末２に保有されている設定値であることが示されている。
【００４４】
置換後の識別情報の文字列は、作成日時や更新日時を利用して生成されても良いし、ランダムな文字列でも良い。また、識別情報は、ユーザーにより操作情報が音声入力される毎に、または一定時間毎に変更される構成としても良い。例えば、音声入力によって他の画面に遷移した後に再度メール宛先画面に遷移したり一定時間が経過すると、再度置換される。ＭＦＰ１は、生成された置換テーブルを携帯端末２に送信する。このように、機密情報である設定値と置換される識別情報が変更されることで、機密漏洩の防止をより確実に行うことができる。
【００４５】
図７は、ユーザーが携帯端末２から「メール」と音声入力したときに、ＭＦＰ１の表示出力部に表示されるメール宛先一覧の画面であるが、メール送信宛先の置換テーブルを携帯端末２に送信しているため、宛先一覧は表示されず、「携帯端末に表示中」というメッセージが表示されている。ただし、何も表示されなくても良い。
【００４６】
図８はメール送信宛先の置換テーブルをＭＦＰ１から受信した後に携帯端末２に表示される画面である。この画面には、ＭＦＰ１から受信した置換テーブルの置換前後のメール送信宛先が表示されている。
【００４７】
ユーザーが、例えば「Ｒｅｃｅｉｖｅｒ１」と発言すると、ＭＦＰ１と携帯端末２はそれを音声認識し、置換テーブルから該当するメール送信宛先を探し、「Ｒｅｃｅｉｖｅｒ１」に該当する宛先として「Ａｎｄｏｕ」を特定する。このメール送信宛先は携帯端末２が保持する情報（設定値）であるため、携帯端末２はメールの送信宛先として「Ａｎｄｏｕ」を設定する。
【００４８】
次に、ユーザーは、メール送信するファイルを指定するために「ファイル」と発言し音声入力する。携帯端末２は音声認識し、ＭＦＰ１は携帯端末２から送信された音声データを認識する。携帯端末２は自身に保存されているファイル名の情報をＭＦＰ１に送信し、ＭＦＰ１は自身の記憶装置の記憶領域であるボックスに保存されたファイル名の情報、携帯端末２から受信したファイル名の情報を纏め、設定値としての各ファイル名の情報について別の識別情報に置換すると共に、いずれの装置が保持しているファイル名の情報かを表す情報を加えて、１つのファイル名置換テーブルを生成し、携帯端末２に生成したファイル名置換テーブルを送信する。
【００４９】
図９はファイル名置換テーブルの一例を示す表である。
【００５０】
例えば、ファイル名が「鈴木技研業務委託．ｘｌｓ」は「ａａａ」という識別情報に置換され、携帯端末２に保有されている設定値であることが示されている。また、ファイル名が「プレゼン資料．ｐｐｔ」は「ｂｂｂ」という識別情報に置換され、ＭＦＰ１に保有されている設定値であることが示されている。
【００５１】
図１０は、ユーザーが携帯端末２から「ファイル」と音声入力したときに、ＭＦＰ１の表示出力部に表示されるファイル名一覧の画面であるが、ファイル名置換テーブルを携帯端末２に送信しているため、ファイル名一覧は表示されず、「携帯端末に表示中」というメッセージが表示されている。ただし、何も表示されなくても良い。
【００５２】
図１１はファイル名置換テーブルをＭＦＰ１から受信した後に携帯端末２に表示される画面である。この画面には、ＭＦＰ１から受信した置換テーブルの置換前後のファイル名が表示されている。
【００５３】
ユーザーが、例えば「ｂｂｂ」と発言すると、ＭＦＰ１と携帯端末２はそれを音声認識し、置換テーブルから該当するファイル名を探し、「ｂｂｂ」に該当するファイル名として「プレゼン資料．ｐｐｔ」を特定する。このファイル名のファイルはＭＦＰ１が保持するファイル（設定値）であるため、ＭＦＰ１はメールの送信ファイルとして「プレゼン資料．ｐｐｔ」を設定する。この前に、メール宛先設定していた携帯端末２は、設定した宛先情報をＭＦＰ１に送信する。
【００５４】
その後、ユーザーが「送信」と発言すると、ＭＦＰ１は「Ａｎｄｏｕ」宛に「プレゼン資料．ｐｐｔ」を添付してメール送信する。
【００５５】
このように、この実施形態では、設定値が機密情報である場合は、ＭＦＰ１が携帯端末２から取得した設定値と自装置が保有する設定値とを組み合わせて纏めるとともに、各設定値を別の識別情報に置換するから、ユーザーはこの置換された識別情報を音声入力すれば良く、音声が周囲に漏れたとして周囲の第三者はその内容を理解することができない。従って機密情報そのものは漏れることはなく、機密漏洩を防止してセキュリティに優れたシステム、ＭＦＰ１及び携帯端末２とすることができる。
【００５６】
図１２は、携帯端末２の動作を示すフローチャートである。
【００５７】
携帯端末２は、ステップＳ１で、ユーザ−が選択したＭＦＰ１のＭＡＣアドレスを使用してネットワークにブロードキャストし、ステップＳ２で応答（レスポンス）があるかどうかを調べる。レスポンスがなければ（ステップＳ２でＮＯ）、ステップＳ１４で、エラーが発生した旨を画面に表示して、処理を終了する。レスポンスがあれば（ステップＳ２でＹＥＳ）、ＭＦＰ１と通信接続していると判断し、ステップＳ３で、ユーザーの操作に基づいて音声入力モード起動の命令信号が入るのを待つ（ステップＳ３でＮＯ）。
【００５８】
音声入力モード起動の命令信号が入ると（ステップＳ３でＹＥＳ）、ステップＳ４で、音声入力モードを起動したのち、ステップＳ５で、自身の識別番号を含めた音声入力モード起動メッセージをＭＦＰ１に送信する。
【００５９】
次いでステップＳ６では、一定時間内にＭＦＰ１から応答があったかどうかを判断する。なければ（ステップＳ６でＮＯ）、ステップＳ１４でエラー表示をした後、処理を終了する。ＭＦＰ１から応答があった場合（ステップＳ６でＹＥＳ）、ステップＳ７で音声入力待ちとなる。
【００６０】
ステップＳ８では、ＭＦＰ１から置換テーブルが送信されたかどうかを判断する。送信されると（ステップＳ８でＹＥＳ）、ステップＳ９で置換テーブルの内容を画面に表示したのち、ステップＳ１０に進む。置換テーブルが送信されなければ（ステップＳ８でＮＯ）、そのままステップＳ１０に進む。
【００６１】
ステップＳ１０では、音声が入力されたかどうかを判断し、入力されなければ（ステップＳ１０でＮＯ）、ステップＳ８に戻る。この状態でＭＦＰ１から再度置換テーブルを受信した場合、置換テーブルの表示を更新する。
【００６２】
音声入力されると（ステップＳ１０でＹＥＳ）、ステップＳ１１で音声を認識したのち、ステップＳ１２で、ユーザーにより操作終了が指示されたかどうかを判断する。
【００６３】
操作終了が指示されなければ（ステップＳ１２でＮＯ）、ステップＳ１３で、音声入力に応じたタスク実行処理を行い、ステップＳ８に戻る。操作終了が指示されると（ステップＳ１２でＹＥＳ）、処理を終了する。
【００６４】
図１３は、図１２のステップＳ１３の音声入力に応じたタスク実行処理のサブルーチンを示すフローチャートである。
【００６５】
ステップＳ１３１では、入力音声の指示が機密画面に移行するものかどうか、換言すれば機密情報である設定値を設定する必要のある操作が指示されたかどうかを判断する。入力音声の指示が機密画面に移行するものでなければ（ステップＳ１３１でＮＯ）、ステップＳ１３８で、該当の処理を実行した後、サブルーチンを終了し図１２のフローチャートにリターンする。
【００６６】
入力音声の指示が機密画面に移行するものである場合（ステップＳ１３１でＹＥＳ）、ステップＳ１３２で、該当の画面に遷移した後、ＭＦＰ１からメッセージを受信し、ステップＳ１３４で、そのメッセージが機密情報として設定された設定値を要求するメッセージかどうかを調べる。機密情報として設定された設定値を要求するメッセージであれば（ステップＳ１３４でＹＥＳ）、ステップＳ１３５で、機密の設定値をＭＦＰ１に送信した後、ステップＳ１３６で、ＭＦＰ１から置換テーブルを受信し画面に表示したのち、本サブルーチンを終了する。
【００６７】
機密情報として設定された設定値を要求するメッセージでなければ（ステップＳ１３４でＮＯ）、ステップＳ１３７で、該当の画面に遷移したのち、本サブルーチンを終了する。
【００６８】
図１４は、ＭＦＰ１の動作を示すフローチャートである。
【００６９】
ＭＦＰ１は、ステップＳ２１で、携帯端末２から音声入力モード起動メッセージを受信するのを待つ（ステップＳ２１でＮＯ）。
【００７０】
音声入力モード起動メッセージを受信すると（ステップＳ２１でＹＥＳ）、ステップＳ２２で、音声入力モードを起動したのち、ステップＳ２３で、自身の識別番号を含めたレスポンスメッセージを携帯端末２に送信する。次いでステップＳ２４で音声入力待ちとなる。
【００７１】
置換テーブルを生成するまでは、ステップＳ２５の処理を実行することなく、ステップＳ２６で、音声が入力されたかどうかを判断し、入力されなければ（ステップＳ２６でＮＯ）、ステップＳ２５に戻る。
【００７２】
音声入力されると（ステップＳ２６でＹＥＳ）、ステップＳ２７で音声を認識したのち、ステップＳ２８で、ユーザーにより操作終了が指示されたかどうかを判断する。
【００７３】
操作終了が指示されなければ（ステップＳ２８でＮＯ）、ステップＳ２９で、音声入力に応じたタスク実行処理を行い、ステップＳ５に戻る。操作終了が指示されると（ステップＳ２８でＹＥＳ）、処理を終了する。
【００７４】
ステップＳ２９のタスク実行処理で置換テーブルが生成された場合、ステップＳ２５で、置換テーブル生成後一定時間が経過したかどうかを判断する。一定時間経過すると（ステップＳ２５でＹＥＳ）、ステップＳ３０で、再度置換テーブルを生成し、携帯端末２に送信した後、ステップＳ２６に進む。置換テーブル生成後一定時間が経過していなければ（ステップＳ２５でＮＯ）、そのままステップＳ２６に進む。
【００７５】
図１５は、図１４のステップＳ２９の音声入力に応じたタスク実行処理のサブルーチンを示すフローチャートである。
【００７６】
ステップＳ２９０１では、入力音声の指示が機密画面に移行するものかどうか、換言すれば機密情報である設定値を設定する必要のある操作が指示されたかどうかを判断する。入力音声の指示が機密画面に移行するものでなければ（ステップＳ２９０１でＮＯ）、ステップＳ２９１０で、該当の処理を実行した後、サブルーチンを終了し図１４のフローチャートにリターンする。
【００７７】
入力音声の指示が機密画面に移行するものである場合（ステップＳ２９０１でＹＥＳ）、ステップＳ２９０２で、該当の画面に遷移した後、ステップＳ２９０３で機密設定が有効かどうかを判断する。
【００７８】
機密設定が有効である場合（ステップＳ２９０３でＹＥＳ）、ステップＳ２９０４で、「携帯端末に一覧を表示中」というメッセージを表示したのち、ステップＳ２９０５で、携帯端末２に機密情報の設定値の要求メッセージを送信し、ステップＳ２９０６に進む。
【００７９】
ステップＳ２９０６では、一定時間内に携帯端末２から設定値が送信されてきたかどうかを調べ、送信されてきたときは（ステップＳ２９０６でＹＥＳ）、ステップＳ２９０７で置換テーブルを生成し、携帯端末２に送信した後、本サブルーチンを終了し、図  のフローチャートに戻る。一定時間内に携帯端末２から設定値が送信されないときは（ステップＳ２９０６でＮＯ）、ステップＳ２９０８でエラーが発生した旨を画面に表示した後、本サブルーチンを終了する。
【００８０】
ステップＳ２９０３で、機密設定が有効でない場合（ステップＳ２９０３でＮＯ）、ステップＳ２９０９で、該当の画面に遷移した後、ステップＳ２９１０で、携帯端末２に置換テーブルを送信しない旨のメッセージを送信した後、本サブルーチンを終了する。
【００８１】
以上、本発明の一実施形態を説明したが、本発明は上記実施形態に限定されることはない。
【００８２】
例えば、置換テーブルをＭＦＰ１で生成する場合を示したが、置換テーブルは携帯端末２により生成されても良い。この場合、ＭＦＰ１は保有している機密情報としての設定値を携帯端末２に送信し、携帯端末２は受信したＭＦＰ１の設定値と自装置が保有している設定値を纏め、各設定値について別の識別情報に置換する。
【００８３】
また、操作指示に対応する操作に関連する設定値が機密情報として設定されているかどうかの判断をＭＦＰ１が行うものとしたが、携帯端末２により行われても良い。
【符号の説明】
【００８４】
１        画像処理装置
２        携帯端末装置
４１      システム制御部
４２      表示出力部
４３      ネットワーク制御部
４４      音声入力部
４５      音声認識部
４６      機密情報設定部
４７      置換テーブル生成部
４８      置換データ比較部
４９      タスク実行部
【図１】
2015080120.tif 000003
【図２】
2015080120.tif 000004
【図３】
2015080120.tif 000005
【図４】
2015080120.tif 000006
【図５】
2015080120.tif 000007
【図６】
2015080120.tif 000008
【図７】
2015080120.tif 000009
【図８】
2015080120.tif 000010
【図９】
2015080120.tif 000011
【図１０】
2015080120.tif 000012
【図１１】
2015080120.tif 000013
【図１２】
2015080120.tif 000014
【図１３】
2015080120.tif 000015
【図１４】
2015080120.tif 000016
【図１５】
2015080120.tif 000017